(57)【要約】ガスセンサを用いて、個人ごとの排泄パターンを認識して排泄を正確に検知することができる排泄検知システム及び排泄検知方法を提供する。排泄物から発生するガスを検知するガスセンサを有するガスセンサユニット（２００）と、ガスセンサユニット（２００）からの検知信号を入力する手段と、入力された前記検知信号の差分波形を取得する差分波形取得手段と、取得した差分波形からｎ個の特徴量を抽出しｎ次元の特徴量ベクトルを取得する手段と、排泄検知に用いる特徴量空間のクラスタ数ｋを定義する手段と、取得したｎ次元の特徴量ベクトルと、定義されたクラスタ数ｋに基づいて特徴量空間を作成する。そして、排泄検知処理の開始が指示されると、特徴量空間に取得したｎ次元の特徴量ベクトルを照合して分類し、排泄判定を行う手段と、排泄を判定した場合に排泄を報知する手段と、を有する。
2018158978.tif 000002
【特許請求の範囲】
【請求項１】
排泄を検知する排泄検知システムにおいて、  排泄物から発生するガスを検知するガスセンサを有するガスセンサユニットと、  ガスセンサユニットからの検知信号を入力する入力手段と、  前記入力手段から入力された前記検知信号の差分波形を取得する差分波形取得手段と、  前記差分波形取得手段が取得した差分波形に基づいて所定数ｎ（ｎは1以上の自然数）の特徴量を抽出し、ｎ次元の特徴量ベクトルを取得する特徴量ベクトル取得手段と、  排泄検知に用いる特徴量空間のクラスタ数をｋ（ｋは1以上の自然数）と定義するクラスタ数定義手段と、  前記特徴量ベクトル取得手段が取得したｎ次元の特徴量ベクトルと、前記クラスタ数定義手段が定義したクラスタ数ｋに基づいて特徴量空間を作成する特徴量空間作成手段と、  前記特徴量空間作成手段が作成した特徴量空間を記憶手段に記憶する記憶制御手段と、    前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形に基づいてｎ次元の特徴量ベクトルを取得し、次いで、前記特徴量ベクトル取得手段が取得した前記ｎ次元の特徴量ベクトルを前記記憶手段に記憶された特徴量空間に照合して分類するクラスタリング手段と、  前記クラスタリング手段による分類に基づいて排泄状況の判定を行う排泄判定手段と、  前記排泄判定手段が判定した排泄状況を報知する報知手段と、  を有することを特徴とする排泄検知システム。
【請求項２】
前記クラスタ数定義手段は、排泄検知に用いる特徴量空間のクラスタ数ｋを２又は３又は４と定義し、  前記特徴量空間作成手段は、前記特徴量ベクトル取得手段が取得した前記特徴量ベクトルと、前記クラスタ数定義手段が定義したクラスタ数ｋ（ｋ＝２又は３又は４）に基づいて特徴量空間を作成し、  前記記憶制御手段は、前記特徴量空間作成手段によって作成されたクラスタ数ｋ（ｋ＝２又は３又は４）の特徴量空間を記憶手段に記憶し、  前記クラスタリング手段は、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形に基づいてｎ次元の特徴量ベクトルを取得し、次いで、前記特徴量ベクトル取得手段が取得した前記ｎ次元の特徴量ベクトルを前記記憶手段に記憶された特徴量空間に照合して分類し、  前記排泄判定手段は、前記クラスタリング手段による分類に基づいて排泄判定を行い、  前記報知手段は、前記排泄判定手段が判定した排泄状況を報知することを特徴とする請求項１に記載の排泄検知システム。
【請求項３】
前記特徴量ベクトル取得手段は、前記差分波形取得手段が取得した差分波形の「標準偏差」、「最大値」、「最小値」、「正側の波形と基準線とで囲まれた領域である正面積の値」、「負側の波形と前記基準線とで囲まれた領域である負面積の値」の５つの特徴量を抽出し、５次元の特徴量ベクトルを取得し、  前記特徴量空間作成手段は、前記特徴量ベクトル取得手段が取得した５次元の特徴量ベクトルと、前記クラスタ数定義手段が定義したクラスタ数に基づいて特徴量空間を作成し、  前記記憶制御手段は、前記特徴量空間作成手段が作成した特徴量空間を記憶手段に記憶し、  前記クラスタリング手段は、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形の「標準偏差」、「最大値」、「最小値」、「正側の波形と基準線とで囲まれた領域である正面積の値」、「負側の波形と前記基準線とで囲まれた領域である負面積の値」の５つの特徴量を抽出して５次元の特徴量ベクトルを取得し、次いで、前記特徴量ベクトル取得手段が取得した前記５次元の特徴量ベクトルを前記記憶手段に記憶された特徴量空間に照合して分類し、  前記排泄判定手段は、前記クラスタリング手段による分類に基づいて排泄判定を行い、  前記報知手段は、前記排泄判定手段が判定した排泄状況を報知することを特徴とする請求項１又は２に記載の排泄検知システム。
【請求項４】
前記クラスタ数定義手段は、クラスタ数ｋを、「排泄あり」と「排泄なし」をそれぞれ意味する２（ｋ＝２）と定義するか、又は、  前記クラスタ数定義手段は、クラスタ数ｋを、「排便あり」と、「排尿あり、かつ、排便なし」と、「排泄なし」と、をそれぞれ意味する３（ｋ＝３）と定義するか、又は、  前記クラスタ数定義手段は、クラスタ数ｋを、「排便あり」と、「排尿あり、かつ、排便なし」と、「放屁あり、かつ、排便なし、かつ、排尿なし」と、「放屁なし、かつ、排便なし、かつ、排尿なし」と、をそれぞれ意味する４（ｋ＝４）と定義し、  前記特徴量空間作成手段は、前記特徴量ベクトル取得手段が取得した前記特徴量ベクトルと、前記クラスタ数定義手段が定義したクラスタ数ｋ（ｋ＝２又は３又は４）に基づいて特徴量空間を作成し、  前記記憶制御手段は、前記特徴量空間作成手段によって作成されたクラスタ数ｋ（ｋ＝２又は３又は４）の特徴量空間を記憶手段に記憶し、  前記クラスタリング手段は、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形に基づいてｎ次元の特徴量ベクトルを取得し、次いで、前記特徴量ベクトル取得手段が取得した前記ｎ次元の特徴量ベクトルを前記記憶手段に記憶された特徴量空間に照合し、前記クラスタ数ｋが２の場合には前記特徴量ベクトルを「排泄あり」又は「排泄なし」に分類し、前記クラスタ数ｋが３の場合には前記特徴量ベクトルを「排便あり」又は「排尿あり、かつ、排便なし」又は「排泄なし」に分類し、前記クラスタ数ｋが４の場合には前記特徴量ベクトルを「排便あり」又は「排尿あり、かつ、排便なし」又は「放屁あり、かつ、排便なし、かつ、排尿なし」又は「放屁なし、かつ、排便なし、かつ、排尿なし」に分類し、  前記排泄判定手段は、前記クラスタリング手段による分類に基づいて排泄判定を行い、  前記報知手段は、前記排泄判定手段が判定した排泄状況を報知することを特徴とする請求項２又は３に記載の排泄検知システム。
【請求項５】
前記報知手段は、前記排泄判定手段が排泄があったと判定した場合にのみ報知することを特徴とする請求項１乃至４のいずれか一項に記載の排泄検知システム。
【請求項６】
排泄を検知する排泄検知方法において、  排泄検知に用いる特徴量空間を作成する特徴量空間作成ステップと、前記特徴量空間作成ステップにて作成された前記特徴量空間を用いて、排泄検知を行う排泄検知ステップと、を有し、  前記特徴量空間作成ステップは、    排泄物から発生するガスを検知するガスセンサを有するガスセンサユニットからの検知信号を入力するステップと、    入力された前記検知信号の差分波形を取得する差分波形取得ステップと、    前記差分波形取得ステップにて取得された前記差分波形に基づいて所定数ｎ（ｎは1以上の自然数）の特徴量を抽出し、ｎ次元の特徴量ベクトルを取得する特徴量ベクトル取得ステップと、    前記特徴量空間のクラスタ数をｋ（ｋは1以上の自然数）と定義するクラスタ数定義ステップと、    前記特徴量ベクトル取得ステップにて取得されたｎ次元の特徴量ベクトルと、前記クラスタ数定義ステップにて定義されたクラスタ数ｋに基づいて特徴量空間を作成して記憶手段に記憶するステップと、を有し、  前記排泄検知ステップは、    前記特徴量空間が前記記憶手段に記憶された後に、排泄検知処理の開始が指示されると、前記ガスセンサユニットからの検知信号を入力し、入力された前記検知信号の差分波形を取得すし、取得された前記差分波形に基づいて所定数ｎの特徴量を抽出しｎ次元の特徴量ベクトルを取得し、前記記憶手段に記憶された特徴量空間に、前記ｎ次元の特徴量ベクトルを照合して分類するクラスタリングステップと、    前記クラスタリングステップによる分類に基づいて判定を行う排泄判定ステップと、    前記排泄判定ステップにて判定した排泄状況を報知する報知ステップと、  を有することを特徴とする排泄検知方法。
【請求項７】
前記クラスタ数定義ステップは、排泄検知に用いる特徴量空間のクラスタ数ｋを２又は３又は４と定義し、  前記特徴量空間作成ステップは、前記特徴量ベクトル取得ステップにて取得した前記特徴量ベクトルと、前記クラスタ数定義ステップが定義したクラスタ数ｋ（ｋ＝２又は３又は４）に基づいて特徴量空間を作成して前記記憶手段に記憶することを特徴とする請求項６に記載の排泄検知方法。
【請求項８】
前記特徴量ベクトル取得ステップは、前記差分波形取得ステップにて取得した差分波形の「標準偏差」、「最大値」、「最小値」、「正側の波形と基準線とで囲まれた領域である正面積の値」、「負側の波形と前記基準線とで囲まれた領域である負面積の値」の５つの特徴量を抽出して５次元の特徴量ベクトルを取得し（ｎ＝５）、  前記特徴量空間作成ステップは、前記特徴量ベクトル取得ステップが取得した５次元の特徴量ベクトルと、前記クラスタ数定義ステップにて定義されたクラスタ数ｋに基づいて特徴量空間を作成して前記記憶手段に記憶し、  前記排泄検知ステップの    前記クラスタリングステップは、前記特徴量空間が前記記憶手段に記憶された後に、排泄検知処理の開始が指示されると、前記ガスセンサユニットからの検知信号を入力し、入力された前記検知信号の差分波形を取得し、取得された差分波形の「標準偏差」、「最大値」、「最小値」、「正側の波形と基準線とで囲まれた領域である正面積の値」、「負側の波形と前記基準線とで囲まれた領域である負面積の値」の５個（ｎ＝５）の特徴量を抽出して５次元の特徴量ベクトル（ｎ＝５）を取得し、前記記憶手段に記憶された特徴量空間に、前記５次元の特徴量ベクトルを照合して分類し、    前記排泄判定ステップは、前記クラスタリングステップによる分類に基づいて排泄判定を行い、    前記報知ステップは、前記排泄判定ステップにて判定した排泄状況を報知することを特徴とする請求項６又は７に記載の排泄検知方法。
【発明の詳細な説明】
【技術分野】
【０００１】  本発明は、排泄を検知する排泄検知システムに関し、特に、個人ごとの排泄パターンを認識して正確に排泄検知を行う排泄検知システム及び排泄検知方法に関する。
【背景技術】
【０００２】  従来より、尿失禁検知の手法として、濡れセンサを用いた尿失禁検知システム、ガスセンサを用いた尿失禁検知システムがある。濡れセンサを用いた尿失禁検知システムは、例えばおむつに直接センサを埋め込み、センサが直接尿に触れることによって生じる電位差に基づいて尿を検知している。ガスセンサを用いた尿失禁検知システムの場合、尿に含まれる尿素、アンモニア等の化学物質を検知し、尿を検知している。ガスセンサを用いた尿失禁検知システムの例を非特許文献１乃至４に示す。
【先行技術文献】
【非特許文献】
【０００３】
【非特許文献１】菊池正志、白鳥世明、“導電性高分子を用いたアンモニアガスセンサ”、電気情報通信学会、pp.55-99, 2001
【非特許文献２】加藤陽、向井利春、“人と接するロボットのための尿失禁検知ガスセンサ”、第六回システムインテグレ―テーション部門学術講演会（SI2005），pp.225-226, 2005
【非特許文献３】筒口善央、米澤保人、山田有河、“排便検知センサシステムの開発”、技術ふれあいミレニアム2000 発表会要旨集，2000年
【非特許文献４】野方誠、小川和宏、河野正洋、“高齢者見守りロボット用高性能センサの開発”、日本機械学会ロボティクス・メカトロニクス講演会’04 講演論文集、2004
【発明の概要】
【発明が解決しようとする課題】
【０００４】  実際の介護現場においては、現状、決まった時間に被介護者のおむつ交換を行う定時交換、又は、おむつが汚れたら交換をおこなう随時交換を行っている。しかし、定時交換の場合には、時間が来ても被介護者がすぐに対応できないこともある。また、おむつ開けてみたが、汚れていないという空振りのケースも多い。随時交換は、被介護者本人の訴えに頼る場面も多く、被介護者が訴えることができなければ、介護者が気付くまでおむつ交換が行われないという危険性がある。【０００５】  そこで、被介護者ごとに排泄パターン表を作成し、被介護者ごとの排泄の周期パターンを把握しようとする取り組みもある。しかし、排泄パターン表を作成するためには、おむつ内を1時間に1回確認をし、排泄の有無を記録する作業を１〜２週間続けなければならず、施設内入居者全員の排泄パターン表を作成するには多くの労力が必要となり、現実的でない。  また、ガスセンサを用いた排泄検知判定もあるが、ガスセンサ個体差のばらつきが大きく、一定の閾値により排泄を判定できないという問題もある。【０００６】  本発明の目的は、このような問題等に鑑みて、個人ごとの排泄パターンを認識して排泄を正確に検知することができる排泄検知システム及び排泄検知方法を提供することにある。
【課題を解決するための手段】
【０００７】  本発明の排泄検知システムは、排泄検知システムにおいて、排泄物から発生するガスを検知するガスセンサを有するガスセンサユニットと、ガスセンサユニットからの検知信号を入力する入力手段と、前記入力手段から入力された前記検知信号の差分波形を取得する差分波形取得手段と、前記差分波形取得手段が取得した差分波形に基づいて所定数ｎ（ｎは1以上の自然数）の特徴量を抽出し、ｎ次元の特徴量ベクトルを取得する特徴量ベクトル取得手段と、排泄検知に用いる特徴量空間のクラスタ数をｋ（ｋは1以上の自然数）と定義するクラスタ数定義手段と、前記特徴量ベクトル取得手段が取得したｎ次元の特徴量ベクトルと、前記クラスタ数定義手段が定義したクラスタ数ｋに基づいて特徴量空間を作成する特徴量空間作成手段と、前記特徴量空間作成手段が作成した特徴量空間を記憶手段に記憶する記憶制御手段と、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形に基づいてｎ次元の特徴量ベクトルを取得し、次いで、前記特徴量ベクトル取得手段が取得した前記ｎ次元の特徴量ベクトルを前記記憶手段に記憶された特徴量空間に照合して分類するクラスタリング手段と、前記クラスタリング手段による分類に基づいて排泄状況の判定を行う排泄判定手段と、前記排泄判定手段が判定した排泄状況を報知する報知手段と、を有することを特徴とする。【０００８】  前記クラスタ数定義手段は、排泄検知に用いる特徴量空間のクラスタ数ｋを２又は３又は４と定義し、前記特徴量空間作成手段は、前記特徴量ベクトル取得手段が取得した前記特徴量ベクトルと、前記クラスタ数定義手段が定義したクラスタ数ｋ（ｋ＝２又は３又は４）に基づいて特徴量空間を作成し、前記記憶制御手段は、前記特徴量空間作成手段によって作成されたクラスタ数ｋ（ｋ＝２又は３又は４）の特徴量空間を記憶手段に記憶し、前記クラスタリング手段は、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形に基づいてｎ次元の特徴量ベクトルを取得し、次いで、前記特徴量ベクトル取得手段が取得した前記ｎ次元の特徴量ベクトルを前記記憶手段に記憶された特徴量空間に照合して分類し、前記排泄判定手段は、前記クラスタリング手段による分類に基づいて排泄判定を行い、前記報知手段は、前記排泄判定手段が判定した排泄状況を報知するよう構成してもよい。【０００９】  前記特徴量ベクトル取得手段は、前記差分波形取得手段が取得した差分波形の「標準偏差」、「最大値」、「最小値」、「正側の波形と基準線とで囲まれた領域である正面積の値」、「負側の波形と前記基準線とで囲まれた領域である負面積の値」の５つの特徴量を抽出し、５次元の特徴量ベクトルを取得し、前記特徴量空間作成手段は、前記特徴量ベクトル取得手段が取得した５次元の特徴量ベクトルと���前記クラスタ数定義手段が定義したクラスタ数に基づいて特徴量空間を作成し、前記記憶制御手段は、前記特徴量空間作成手段が作成した特徴量空間を記憶手段に記憶し、前記クラスタリング手段は、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形の「標準偏差」、「最大値」、「最小値」、「正側の波形と基準線とで囲まれた領域である正面積の値」、「負側の波形と前記基準線とで囲まれた領域である負面積の値」の５つの特徴量を抽出して５次元の特徴量ベクトルを取得し、次いで、前記特徴量ベクトル取得手段が取得した前記５次元の特徴量ベクトルを前記記憶手段に記憶された特徴量空間に照合して分類し、前記排泄判定手段は、前記クラスタリング手段による分類に基づいて排泄判定を行い、前記報知手段は、前記排泄判定手段が判定した排泄状況を報知するよう構成してもよい。【００１０】  前記クラスタ数定義手段は、クラスタ数ｋを、「排泄あり」と「排泄なし」をそれぞれ意味する２（ｋ＝２）と定義するか、又は、前記クラスタ数定義手段は、クラスタ数ｋを、「排便あり」と、「排尿あり、かつ、排便なし」と、「排泄なし」と、をそれぞれ意味する３（ｋ＝３）と定義するか、又は、  前記クラスタ数定義手段は、クラスタ数ｋを、「排便あり」と、「排尿あり、かつ、排便なし」と、「放屁あり、かつ、排便なし、かつ、排尿なし」と、「放屁なし、かつ、排便なし、かつ、排尿なし」と、をそれぞれ意味する４（ｋ＝４）と定義し、前記特徴量空間作成手段は、前記特徴量ベクトル取得手段が取得した前記特徴量ベクトルと、前記クラスタ数定義手段が定義したクラスタ数ｋ（ｋ＝２又は３又は４）に基づいて特徴量空間を作成し、前記記憶制御手段は、前記特徴量空間作成手段によって作成されたクラスタ数ｋ（ｋ＝２又は３又は４）の特徴量空間を記憶手段に記憶し、前記クラスタリング手段は、前記記憶制御手段が前記特徴量空間を記憶手段に記憶した後、排泄検知処理の開始が指示されると、前記差分波形取得手段は前記入力手段から入力された前記検知信号の差分波形を取得し、次いで、前記特徴量ベクトル取得手段は前記差分波形取得手段が取得した差分波形に基づいてｎ次元の特徴量ベクトルを取得し、次いで、前記特徴量ベクトル取得手段が取得した前記ｎ次元の特徴量ベクトルを前記記憶手段に記憶された特徴量空間に照合し、前記クラスタ数ｋが２の場合には前記特徴量ベクトルを「排泄あり」又は「排泄なし」に分類し、前記クラスタ数ｋが３の場合には前記特徴量ベクトルを「排便あり」又は「排尿あり、かつ、排便なし」又は「排泄なし」に分類し、前記クラスタ数ｋが４の場合には前記特徴量ベクトルを「排便あり」又は「排尿あり、かつ、排便なし」又は「放屁あり、かつ、排便なし、かつ、排尿なし」又は「放屁なし、かつ、排便なし、かつ、排尿なし」に分類し、前記排泄判定手段は、前記クラスタリング手段による分類に基づいて排泄判定を行い、前記報知手段は、前記排泄判定手段が判定した排泄状況を報知するよう構成してもよい。【００１１】  前記報知手段は、前記排泄判定手段が排泄があったと判定した場合にのみ報知するよう構成してもよい。【００１２】  本発明の排泄検知方法は、排泄を検知する排泄検知方法において、排泄検知に用いる特徴量空間を作成する特徴量空間作成ステップと、前記特徴量空間作成ステップにて作成された前記特徴量空間を用いて、排泄検知を行う排泄検知ステップと、を有し、前記特徴量空間作成ステップは、排泄物から発生するガスを検知するガスセンサを有するガスセンサユニットからの検知信号を入力するステップと、入力された前記検知信号の差分波形を取得する差分波形取得ステップと、前記差分波形取得ステップにて取得された前記差分波形に基づいて所定数ｎ（ｎは1以上の自然数）の特徴量を抽出し、ｎ次元の特徴量ベクトルを取得する特徴量ベクトル取得ステップと、前記特徴量空間のクラスタ数をｋ（ｋは1以上の自然数）と定義するクラスタ数定義ステップと、前記特徴量ベクトル取得ステップにて取得されたｎ次元の特徴量ベクトルと、前記クラスタ数定義ステップにて定義されたクラスタ数ｋに基づいて特徴量空間を作成して記憶手段に記憶するステップと、を有し、前記排泄検知ステップは、前記特徴量空間が前記記憶手段に記憶された後に、排泄検知処理の開始が指示されると、前記ガスセンサユニットからの検知信号を入力し、入力された前記検知信号の差分波形を取得すし、取得された前記差分波形に基づいて所定数ｎの特徴量を抽出しｎ次元の特徴量ベクトルを取得し、前記記憶手段に記憶された特徴量空間に、前記ｎ次元の特徴量ベクトルを照合して分類するクラスタリングステップと、前記クラスタリングステップによる分類に基づいて判定を行う排泄判定ステップと、前記排泄判定ステップにて判定した排泄状況を報知する報知ステップと、を有することを特徴とする。【００１３】  前記クラスタ数定義ステップは、排泄検知に用いる特徴量空間のクラスタ数ｋを２又は３又は４と定義し、前記特徴量空間作成ステップは、前記特徴量ベクトル取得ステップにて取得した前記特徴量ベクトルと、前記クラスタ数定義ステップが定義したクラスタ数ｋ（ｋ＝２又は３又は４）に基づいて特徴量空間を作成して前記記憶手段に記憶するよう構成してもよい。【００１４】  前記特徴量ベクトル取得ステップは、前記差分波形取得ステップにて取得した差分波形の「標準偏差」、「最大値」、「最小値」、「正側の波形と基準線とで囲まれた領域である正面積の値」、「負側の波形と前記基準線とで囲まれた領域である負面積の値」の５つの特徴量を抽出して５次元の特徴量ベクトルを取得し（ｎ＝５）、前記特徴量空間作成ステップは、前記特徴量ベクトル取得ステップが取得した５次元の特徴量ベクトルと、前記クラスタ数定義ステップにて定義されたクラスタ数ｋに基づいて特徴量空間を作成して前記記憶手段に記憶し、前記排泄検知ステップの前記クラスタリングステップは、前記特徴量空間が前記記憶手段に記憶された後に、排泄検知処理の開始が指示されると、前記ガスセンサユニットからの検知信号を入力し、入力された前記検知信号の差分波形を取得し、取得された差分波形の「標準偏差」、「最大値」、「最小値」、「正側の波形と基準線とで囲まれた領域であ��正面積の値」、「負側の波形と前記基準線とで囲まれた領域である負面積の値」の５個（ｎ＝５）の特徴量を抽出して５次元の特徴量ベクトル（ｎ＝５）を取得し、前記記憶手段に記憶された特徴量空間に、前記５次元の特徴量ベクトルを照合して分類し、前記排泄判定ステップは、前記クラスタリングステップによる分類に基づいて排泄判定を行い、前記報知ステップは、前記排泄判定ステップにて判定した排泄状況を報知するよう構成してもよい。
【発明の効果】
【００１５】  本発明によれば、ガスセンサを用いて、個人ごとの排泄パターンを認識して排泄を正確に検知することができる排泄検知システム及び排泄検知方法を提供できる。
【図面の簡単な説明】
【００１６】
【図１】本実施形態における排泄検知システムＳの構成を示すブロック図である。
【図２】間引き移動平均処理後の信号値（検知信号）の一例である。
【図３】間引き移動平均処理を説明する表である。
【図４】間引き移動平均処理後の検知信号の出力波形の一例を示す図である。
【図５】図４の出力波形の差分波形の一例を示す図である。
【図６】特徴量の説明図である。
【図７】特徴量空間に１２個（ｍ＝１２）の５次元特徴量ベクトルが存在する様子をあらわす概念図である。
【図８】１２個（ｍ＝１２）の５次元特徴量ベクトル値の一例である。
【図９】検知信号の差分波形形状を３つのクラスタに分類した特徴量空間上に模式的に表した図である。
【図１０】制御部１１による特徴量空間作成処理を示すフローチャートである。
【図１１】制御部１１による排泄検知処理を示すフローチャートである。
【発明を実施するための形態】
【００１７】  本実施形態では、本発明の排泄検知システムを、排泄検知の対象者（ユーザ）の一例である被介護者に適用した場合について説明する。  図１は、本実施形態における排泄検知システムＳの構成を示すブロック図である。図１において被介護者を破線にて示す。  本実施形態の排泄検知システムＳは、被介護者が載置される布団又はベッド上に敷かれるガス吸引シート１００と、当該ガス吸引シート１００内部に通じるチューブからガス吸引シート１００内部の空気を吸引し、ガス吸引シート１００に寝ている被介護者の排泄物（便、尿、屁）から発生するにおいを検知するガスセンサを備えたガスセンサユニット２００と、ガスセンサユニット２００からの検知信号に基づいて排泄状況を介護者に報知する排泄検知装置３００と、を備える。
【００１８】  より具体的には、排泄検知システムＳは、排泄物から発生するガスを検知するガスセンサを有するガスセンサユニット２００を備え、さらに、ガスセンサユニット２００からの検知信号を入力する入力手段１６と、入力手段１６から入力された検知信号の差分波形を取得する差分波形取得手段と、差分波形取得手段が取得した差分波形に基づいて所定数ｎ（ｎは1以上の自然数）の特徴量を抽出し、ｎ次元の特徴量ベクトルを取得する特徴量ベクトル取得手段と、排泄検知に用いる特徴量空間のクラスタ数をｋ（ｋは1以上の自然数）と定義するクラスタ数定義手段と、特徴量ベクトル取得手段が取得したｎ次元の特徴量ベクトルと、クラスタ数定義手段が定義したクラスタ数ｋに基づいて特徴量空間を作成する特徴量空間作成手段と、特徴量空間作成手段が作成した特徴量空間を記憶手段１２に記憶する記憶制御手段（制御部１１）と、記憶制御手段が特徴量空間を記憶手段１２に記憶した後、排泄検知処理の開始が指示されると、差分波形取得手段は入力手段１６から入力された検知信号の差分波形を取得し、次いで、特徴量ベクトル取得手段は差分波形取得手段が取得した差分波形に基づいてｎ次元の特徴量ベクトルを取得し、次いで、特徴量ベクトル取得手段が取得したｎ次元の特徴量ベクトルを記憶手段１２に記憶された特徴量空間に照合して分類するクラスタリング手段と、クラスタリング手段による分類に基づいて排泄状況の判定を行う排泄判定手段と、排泄判定手段が判定した排泄状況を報知する報知手段と、により構成される。
【００１９】  ガス吸引シート１００は、例えば、敷布状に構成され、被介護者が載置される布団又はベッド等の寝具上の少なくとも被介護者の下半身が載置される位置に敷かれる。  排泄検知装置３００は、演算機能を有するＣＰＵ、作業用ＲＡＭ、各種データ及びプログラムを記憶するＲＯＭ等から構成された制御部１１、作成した特徴量空間を記憶するメモリ等を備える記憶手段１２、モニタ等の表示画面を備える表示部１３、排泄検知装置３００を操作する介護者、システム担当者等の指示を受け付け当該指示に応じた指示信号を制御部１１に対して与える操作部（例えば、操作パネル（タッチパネルを含む）等）１４、各種ネットワーク（ＬＡＮ（Local Area Network）を含む）を介して介護管理室のコンピュータ、介護士が携帯するタブレット端末等に排泄があったことを報知するための報知手段としての通信部１５、増幅部及びＡ／Ｄ変換部等を備えガスセンサユニット２００からの検知信号を排泄検知装置３００内部に入力する入力インターフェースとしての入力手段１６を備えて構成されている。各構成部材はバスを介して相互に接続されている。  制御部１１は、他の部材と協動して本発明の入力手段、差分波形取得手段、特徴量ベクトル取得手段、クラスタ数定義手段、特徴量空間作成手段、記憶制御手段、クラスタリング手段、排泄判定手段、報知手段として機能する。
【００２０】  制御部１１は、被介護者がベッドに寝ている着床状態か、ベッド等から完全に離床して所謂離床状態であるかを判別する（離着床判定）。例えば、ベッドに圧力センサを備えた薄型マットなどを布団やベッド上に敷き、圧力センサ検知信号を入力手段１６から受信して離着床を判別する。そして、制御部１１は、入力手段１６から入力されるガスセンサユニット２００からの検知信号のうち、被介護者が着床状態のときの検知信号のみを特徴量空間作成処理及び排泄検知処理に採用する。
【００２１】  ガスセンサユニット２００からの検知信号は、入力手段１６を介して制御部１１内部に取り込まれる。この際に、所定のノイズ除去処理を行なう。温度センサや湿度センサに比べて、排泄によるガスセンサのデータ波形は、変化の速度が遅い。したがって、高周波成分は、ノイズとみなし除去することが好ましい。本実施形態では、まず、ガスセンサユニット２００内にて、ガスセンサユニット２００内部に備えたローパスフィルタ（不図示）によりセンサハードのノイズ除去を行った後に、入力手段１６へ検知信号を送る。そして、制御部１１は、入力手段１６から入力された検知信号に対し、移動平均処理によってローパスフィルタリングノイズ除去を行う。以上の処理により、比較的簡易に高周波成分を抑制することができる。
【００２２】  さらに、本実施形態では、移動平均処理の後に間引き処理を行い、時系列点数を減少させる（間引き移動平均処理）。例えば、移動平均処理を行った後、１００ｍｓごとに１回、信号数約１００個毎に1個の信号値（検知信号）を取得する。これにより、排泄検知の処理速度を向上させることができる。図２は間引き移動平均処理後の信号値（検知信号）の一例であり、図３は、間引き移動平均処理を説明する表である。図３では、図示を簡略するため、信号数３個毎に1個の信号値（センサ出力信号値（V））を取得した場合の例を示す。実際には、間引き移動平均処理後の信号値（図２）のうち、一定時間分の解析窓が用意され、解析窓に収まる範囲内の検知信号について解析が行われる。  図４は、間引き移動平均処理後の検知信号の出力波形の一例を示す図である。次に制御部１１は、差分波形取得手段として機能し、間引き移動平均処理後の検知信号の出力波形について差分処理により差分波形を取得する。図５は、図４の出力波形の差分波形の一例を示す図である。
【００２３】  〈特徴量空間作成手順〉  排泄検知処理の前処理として、特徴量空間作成処理を行なう。  制御部１１は、特徴量ベクトル取得手段として機能し、間引き移動平均処理後の検知信号の差分波形から、任意の特徴量を任意数ｎだけ抽出し、取得したｎ次元の特徴量ベクトルを取得する（ｎは自然数）。  本実施形態では、差分波形から抽出する任意の特徴量の一例として、差分波形の「標準偏差」、「最大値」、「最小値」、「正面積の値」、「負面積の値」の５つ（ｎ＝５）の特徴量を抽出し、５次元の特徴量ベクトルを取得する。図６は、特徴量の説明図である。差分波形の正面積とは、正側の差分波形と基準線とで囲まれる領域の面積値であり、差分波形の負面積とは、負側の差分波形と基準線とで囲まれる領域の面積値である。本実施形態では、差分値がゼロの線を基準線とする。
【００２４】  次に、制御部１１は、取得した任意数ｎの特徴量を用いて、k-means法によりクラスタリングを行う。k-means法は、所定のパラメータに関する複数のデータを、所望数ｋ個（ｋは自然数）のクラスタに分類する手法の一つである。  本実施形態で用いるk-means法を用いたクラスタリングのアルゴリズムについて説明する。なお、パラメータ及びテクニカルタームの用語の意味は以下の通りである。      n:特徴量の個数      特徴量ベクトル: 特徴量をまとめたn次元のベクトル      特徴空間: 特徴量ベクトルの存在するn次元空間      m:測定して得られた特徴量ベクトルの全個数(特徴量空間にm個のベクトルが存在することになる)      k:求めたいクラスタの個数(自由に設定可能)
【００２５】  まず、ｎ次元特徴量空間の適当な位置にk個の重心(セントロイドpi)を配置する．これらセントロイドを中心として特徴量ベクトルのクラスタCiを形成する（Ｓｔｅｐ１）。  次に、特徴空間上に存在するj番目の特徴量ベクトルxjとk個のセントロイドとの距離を計算する。最小となったセントロイドをpi*とすると、特徴量ベクトルxjはクラスタCi*に属することとする（Ｓｔｅｐ２）。【数１】
2018158978.tif 000003
そして、全特徴量ベクトルxについてＳｔｅｐ２の処理が終了した後、各クラスタ内の全特徴量ベクトルの平均ベクトルを計算する。その平均ベクトルを、新たな
【数２】
2018158978.tif 000004
とする（Ｓｔｅｐ３）。 
【数３】
2018158978.tif 000005
ここで、liはクラスタCiに含まれるベクトルの数である。  このＳｔｅｐ２とＳｔｅｐ３により、セントロイドやクラスタの割当てが変化しなくなったら、前処理を終了し（Ｓｔｅｐ４）。変化するようであればＳｔｅｐ２に戻り、Ｓｔｅｐ２、Ｓｔｅｐ３の処理を繰り返し行う。
【００２６】  制御部１１は、クラスタ数定義手段として機能し、ｎ個の特徴量を用いて、ｎ次元の特徴量ベクトルの存在するｎ次元空間に、任意数ｋ個（ｋは自然数）の重心(セントロイドpi)を配置する。  例えば、所望する排泄検知が、「排泄（排尿又は排便）あり」と「排泄なし（異常なし）」を区別して検知したい場合には、「排泄（排尿又は排便）あり」、「排泄なし（異常なし）」を意味する２個のクラスタ（ｋ＝２）の重心を配置する。  所望する排泄検知が、「排便あり」、「排尿あり、かつ、排便なし」、「排泄なし（異常なし）」を区別して検知したい場合には、これら「排便あり」、「排尿あり、かつ、排便なし」、「排泄なし（異常なし）」を意味する３個のクラスタ（ｋ＝３）の重心を配置する。  所望する排泄検知が、「排便あり」、「排尿あり、かつ、排便なし」、「放屁あり、かつ、排泄（排便及び排尿）なし」、「放屁なし、かつ、排便なし、かつ、排尿なし（異常なし）」を区別して検知したい場合には、これら「排便あり」、「排尿あり、かつ、排便なし」、「放屁あり、かつ、排泄（排便及び排尿）なし」、「放屁なし、かつ、排便なし、かつ、排尿なし（異常なし）」を意味する４個のクラスタ（ｋ＝４）の重心を配置する。
【００２７】  例えば、差分波形の「標準偏差」、「最大値」、「最小値」、「正面積」、「負面積」の５個の特徴量（ｎ=５）を用いて、５次元の特徴量ベクトルの存在する５次元空間に、３個（ｋ＝３）の重心(セントロイドpi)を配置させる。３個の重心を配置させたということは、つまり、それぞれ「排便あり」、「排尿あり、かつ、排便なし」、「排泄なし（異常なし）」のクラスタを意味し、「排便あり」、「排尿あり、かつ、排便なし」、「排泄なし（異常なし）」を区別した検知を可能にする。後の排泄検知処理において、ガスセンサユニット２００から取得した検知信号が、学習データに基づいて作成した特徴量空間において３つのクラスタに基づいてクラスタリングされることとなる。
【００２８】  図７は、特徴量空間に１２個（ｍ＝１２）の５次元特徴量ベクトルが存在する様子をあらわす概念図である。なお、本実施形態による特徴量空間は５次元空間であって、正確な図示は困難であるため、図７の概念図にて図示する。図８は、実際の１２個（ｍ＝１２）の５次元特徴量ベクトル値の一例である。１２個（ｍ＝１２）の５次元特徴量ベクトルが、Ａ、Ｂ、Ｃの３種類（ｋ＝３）にクラスタリングされた例である。
【００２９】  以上の特徴量空間作成処理により、例えば、数時間〜数日間の間のガスセンサユニット２００からの検知信号の差分波形形状から抽出したｎ次元の特徴量ベクトルに基づいたｋ個のクラスタと、実際におむつを開けて得たｋ種の排泄状況（例えば、排泄なし、排便、排尿、放屁等）と、を照合した結果を学習データとすることで、ｎ次元の特徴量ベクトルを排泄状況に応じたｋ個のクラスタに分類可能な特徴量空間を作成する。実際の排泄状況は、例えば、介護者又はシステム担当者等が操作部１４の操作により実績値として入力する。図９は、ガスセンサユニット２００から取得した検知信号の差分波形形状を、３つのクラスタに分類した特徴量空間上に模式的に表した一例を示す図である。図９に示した特徴量空間の例は、変動が大きい差分波形形状（変動大部）が集合する領域を「排便判定」、変動が小さい差分波形形状（変動小部）が集合する領域を「排尿判定」、変動がない差分波形形状（異常なし）が集合する領域を「排泄無し判定」と定義できるという特質を有する。なお、実際の特徴量空間は差分波形形状の５次元の特徴量ベクトルに基づいて作成されるが、図９では特徴量を抽出した元となる差分波形形状にも特徴が見て取れるということを示すため、差分波形形状そのものを示した。  以上の手法で、被介護者ごとに作成された特徴量空間を、制御部１１が記憶制御手段として機能し、記憶手段１２に記憶する。
【００３０】  〈排泄検知手順〉    特徴量空間が作成された後、介護者又はシステム担当者等が操作部１４の操作により排泄検知処理の開始が指示されることにより、制御部１１は、排泄検知処理を開始する。  制御部１１は、ガスセンサユニット２００から取得した検知信号の差分波形からｎ次元の特徴量ベクトルを抽出する。そして、記憶手段１２に記憶された特徴量空間に抽出したｎ次元の特徴量ベクトルを照合してｋ個のクラスタのいずれかに分類し、排泄判定を行う。  制御部１１は報知手段として機能し通信部１５を通じて、介護士が携帯するタブレット端末等に排泄状況を報知する。例えば、排泄があったと判定した場合にのみ、排泄があったことを報知するよう構成してもよい。
【００３１】  〈排泄検知装置３００の具体的処理動作例〉  図１０は、排泄検知装置３００の制御部１１による特徴量空間作成処理を示すフローチャートである。  まず、制御部１１は、入力手段１６と共に本発明の入力手段として機能し、ガスセンサユニット２００からガスセンサの検知信号を取得（入力）する（Ｓｔｅｐ１０）。次いで、被介護者の離着床を判定し（Ｓｔｅｐ１１）、離床中の場合には（Ｓｔｅｐ１１：Ｎｏ）、Ｓｔｅｐ１０の処理に戻り、着床中の場合（Ｓｔｅｐ１１：Ｙｅｓ）には、ステップＳ１０で取得した検知信号に対して間引き移動平均処理を行う（Ｓｔｅｐ１２）。
【００３２】  次に、制御部１１は、差分波形取得手段として機能し、ステップＳ１２の間引き移動平均処理後の検知信号の出力波形について差分処理により差分波形を取得する（Ｓｔｅｐ１３）。そして、制御部１１は、特徴量ベクトル取得手段として機能し、ステップＳ１３で取得した差分波形からｎ個の特徴量を抽出し、ｎ次元の特徴量ベクトルを取得する（Ｓｔｅｐ１４）。
【００３３】  次に、制御部１１は、クラスタ数定義手段、特徴量空間作成手段として機能し、クラスタ数をｋと定義し、ｎ次元の特徴量空間を作成する（Ｓｔｅｐ１５）。特徴量空間の作成が完了したか否かを判定し（Ｓｔｅｐ１６）、特徴量空間の作成を完了していない場合にはＳｔｅｐ１０に戻り、検知信号を引き続き取得して特徴量空間を作成するまでＳｔｅｐ１０〜Ｓｔｅｐ１６の処理を繰り返し行う。例えば、検知信号取得開始から所定時間（例えば、数時間〜数日間）経過したときに、特徴量空間の作成を完了したと見なしてもよい。
【００３４】  そして、制御部１１は、記憶制御手段として機能し、作成した特徴量空間を記憶手段１２に保存（記憶）して処理を終了する（Ｓｔｅｐ１７）。  以上のように被介護者ごとに特徴量空間を作成する。
【００３５】  次に、この特徴量空間を使用した排泄検知処理の手順を説明する。  図１１は、排泄検知装置３００の制御部１１による排泄検知処理を示すフローチャートである。  制御部１１は、ガスセンサユニット２００からガスセンサの検知信号を受信する（Ｓｔｅｐ２０）。次いで、被介護者の離着床を判定し（Ｓｔｅｐ２１）、離床中の場合には（Ｓｔｅｐ２１：Ｎｏ）、Ｓｔｅｐ２０の処理に戻り、着床中の場合（Ｓｔｅｐ２１：Ｙｅｓ）には、Ｓｔｅｐ２０で受信した検知信号に対して間引き移動平均処理を行う（Ｓｔｅｐ２２）。
【００３６】  次に、制御部１１は、間引き移動平均処理後の検知信号の出力波形について差分処理により差分波形を取得する（Ｓｔｅｐ２３）。そして、制御部１１は、Ｓｔｅｐ２３で取得した差分波形からｎ個の特徴量を抽出し、ｎ次元の特徴量ベクトルを取得する（Ｓｔｅｐ２４）。
【００３７】  そして、制御部１１は、クラスタリング手段として機能し、Ｓｔｅｐ２４で取得したｎ次元の特徴量ベクトルを、先の特徴量空間作成処理のＳｔｅｐ１７にて記憶手段１２に記憶した特徴量空間に照合して分類する（Ｓｔｅｐ２５）。そして、制御部１１は排泄判定手段及び報知手段として機能し、排泄状況を判定し、判定した排泄状況を報知する。ここでは、排泄があった場合にのみ報知する例を示す。具体的には、判定結果が「排便」の場合には（Ｓｔｅｐ２６：排便）、通信部１５を通じて、介護士が携帯するタブレット端末等に排便を報知する（Ｓｔｅｐ２７）。判定結果が「排尿」の場合には（Ｓｔｅｐ２６：排尿）、通信部１５を通じて、介護士が携帯するタブレット端末等に排尿を報知する（Ｓｔｅｐ２８）。排泄無しの場合（Ｓｔｅｐ２６：排泄なし）、又は、「排便」「排尿」の報知後は、排泄検知の終了が指示される（Ｓｔｅｐ２９：Ｙｅｓ）まで、Ｓｔｅｐ２０〜Ｓｔｅｐ２９の処理を繰り返し行う。ステップＳ２６の排泄判定では、特徴量空間で定義されているクラスタ数ｋ分の判定が行われる。例えば、「排便あり」、「排尿あり、かつ、排便なし」、「放屁あり、かつ、排泄（排便及び排尿）なし」、「放屁なし、かつ、排便なし、かつ、排尿なし（異常なし）」を区別した検知を所望し、クラスタ数ｋ＝４の特徴量空間を作成している場合には、ステップＳ２６において、「排便あり」、「排尿あり、かつ、排便なし」、「放屁あり、かつ、排泄（排便及び排尿）なし」、「放屁なし、かつ、排便なし、かつ、排尿なし（異常なし）」の判定が行われることとなる。このうち、「排便あり」、「排尿あり、かつ、排便なし」を報知の対象とすることもできるし、「放屁あり、かつ、排泄（排便及び排尿）なし」を報知の対象とすることもできる。
【００３８】  以上のように、ガスセンサの差分波形から取得した任意数の特徴量を用いて作成した任意次元の特徴量空間を用いて、予めクラスタ数ｋを定義したクラスタリングにより、排泄状況を正確に判定することができる。しかも、被介護者ごとにいわばオリジナルの特徴量空間を作成するため、個人の排泄パターンを反映させることができ、より正確な排泄検知を行うことができる。さらに、ガスセンサの個体差による出力信号のばらつきの影響を受けることなく排泄検知を行うことができる。  特に、上述した実施形態のように、ガスセンサの差分波形から、差分波形の「標準偏差」、「最大値」、「最小値」、正側の波形と基準線とで囲まれた領域である「正面積の値」、負側の波形と基準線とで囲まれた領域である「負面積の値」の５つの特徴量を抽出し、５次元の特徴量ベクトルを使用すれば、比較的簡易に特徴量ベクトルを取得できる。
【００３９】  本発明の適用範囲は上記実施形態に限定されることはない。本発明は、検知の対象者（ユーザ）に非接触で、かつ、個人ごとの排泄パターンを認識して排泄を正確に検知することができる排泄検知システム及び排泄検知方法に対し、広く適用することができる。
【符号の説明】
【００４０】Ｓ  排泄検知システム１００  ガス吸引シート２００  ガスセンサユニット３００  排泄検知装置    １１  制御部（入力手段、差分波形取得手段、特徴量ベクトル取得手段、クラスタ数定義手段、特徴量空間作成手段、記憶制御手段、クラスタリング手段、排泄判定手段、報知手段）、    １２  記憶手段 
【図１】
2018158978.tif 000006
【図２】
2018158978.tif 000007
【図３】
2018158978.tif 000008
【図４】
2018158978.tif 000009
【図５】
2018158978.tif 000010
【図６】
2018158978.tif 000011
【図７】
2018158978.tif 000012
【図８】
2018158978.tif 000013
【図９】
2018158978.tif 000014
【図１０】
2018158978.tif 000015
【図１１】
2018158978.tif 000016
【国際調査報告】
2018158978.tif 000017
2018158978.tif 000018